(57)【要約】【解決手段】上部デッキ１と下部デッキ２を連結する桁３、４、５を有する合成樹脂製パレットにおいて、桁間を連結する下部連結桟部６を構成する連結リブ６ａの垂直部６ａ’の長さ方向中央領域に、肉厚部６ａ３を形成したものである。【効果】桁間を連結する下部連結桟部を構成する連結リブの垂直部の長さ方向中央領域に、肉厚部を形成したので、下部連結桟部の強度や剛性を高めることができ、従って、下部連結桟部の湾曲変形を防止することができるとともに、ひいては、合成樹脂製パレットの強度や剛性を向上することができる。【選択図】図３
2005206200.tif 000002
【特許請求の範囲】
【請求項１】
上部デッキと下部デッキを連結する桁を有する合成樹脂製パレットにおいて、桁間を連結する下部連結桟部を構成する連結リブの垂直部の長さ方向中央領域に、肉厚部を形成したことを特徴とする合成樹脂製パレット。
【発明の詳細な説明】
【技術分野】
【０００１】
本発明は、物品の運搬、移送、保管等に使用される合成樹脂製パレットに関するものである。
【背景技術】
【０００２】
従来、上部デッキと下面デッキの四隅を連結する隅桁と、上部デッキと下面デッキの各辺部の中間を連結する中間桁と、上部デッキと下面デッキの中央部を連結する中央桁とを有するとともに、隅桁の下端部と中間桁の下端部とは、隅桁・中間桁連結桟部により連結されており、また、中間桁の下端部と中央桁の下端部とは、中間桁・中央桁連結桟部により連結されている合成樹脂製パレットが、一例として、特許文献１に開示されている。
【特許文献１】特開２００３−１７０９３８号公報
【発明の開示】
【発明が解決しようとする課題】
【０００３】
上述した隅桁の下端部と中間桁の下端部とを連結する隅桁・中間桁連結桟部は、互いに対向する隅桁の壁面と中間桁の側面とを連結する複数の連結リブと、該連結リブと直交するとともに各連結リブを連結する交差リブとにより構成されているが、隅桁・中間桁連結桟部の強度や剛性が十分でないために、所定の間隔で配設された倉庫の棚やコンベヤ等に、合成樹脂製パレットを載置した際に、隅桁・中間桁連結桟部が下方に湾曲するという問題があった。
【０００４】
本発明の目的は、合成樹脂製パレットの重量の増加を抑えつつ、上述した従来の合成樹脂製パレットが有する課題を解決することにある。
【課題を解決するための手段】
【０００５】
本発明は、上述した目的を達成するために、上部デッキと下部デッキを連結する桁を有する合成樹脂製パレットにおいて、桁間を連結する下部連結桟部を構成する連結リブの垂直部の長さ方向中央領域に、肉厚部を形成したものである。
【発明の効果】
【０００６】
桁間を連結する下部連結桟部を構成する連結リブの垂直部の長さ方向中央領域に、肉厚部を形成したので、下部連結桟部の強度や剛性を高めることができ、従って、下部連結桟部の湾曲変形を防止することができるとともに、ひいては、合成樹脂製パレットの強度や剛性を向上することができる。
【０００７】
また、桁間を連結する下部連結桟部を構成する連結リブの垂直部の長さ方向中央領域に、肉厚部を形成することにより、下部連結桟部の強度や剛性を高めることができるので、肉厚部以外の連結リブの厚さや該連結リブと交差する交差リブの厚さを薄くすることができ、従って、合成樹脂製パレットの重量の増加を抑えることができる。
【実施例】
【０００８】
以下に、本発明の実施例について説明するが、本発明の趣旨を越えない限り、何ら、本実施例に限定されるものではない。
【０００９】
合成樹脂製パレットは、上部デッキ１と下部デッキ２の四隅同士を連結する隅桁３と、上部デッキ１と下面デッキ２の各辺部の中間を連結する中間桁４と、上部デッキ１と下面デッキ２の中央部を連結する中央桁５とにより形成されている。
【００１０】
隅桁３の下端部と中間桁４の下端部とは、隅桁・中間桁下部連結桟部６により連結されており、また、中間桁４の下端部と中央桁５の下端部とは、中間桁・中央桁下部連結桟部７により連結されている。互いに直交する一対の隅桁・中間桁下部連結桟部６と互いに直交する一対の中間桁・中央桁下部連結桟部７とにより囲まれた領域は、開口部８として形成されている。従って、下部デッキ２は、隅桁３と中間桁４と中央桁５と４本の隅桁・中間桁下部連結桟部６と４本の中間桁・中央桁下部連結桟部７とにより構成されている。また、隅桁３と中間桁４との間及び中間桁４と中央桁５との間には、フォークが挿通可能なフォーク挿通通路９が形成されている。
【００１１】
隅桁３の下端部と中間桁４の下端部とを連結する隅桁・中間桁下部連結桟部６は、互いに対向する隅桁３の壁面３ａと中間桁４の側面４ａとを連結する複数の連結リブ６ａと、該連結リブ６ａと直交するとともに各連結リブ６ａを連結する交差リブ６ｂとにより形成されている。連結リブ６ａの長さ方向に対して垂直な断面形状は、略Ｔ字状に形成されており、同様に、交差リブ６ｂの長さ方向に対して垂直な断形状も、略Ｔ字状に形成されている。
【００１２】
なお、フォーク挿通通路９の入口側に位置する連結リブ６ａ１及び下部デッキ２の開口部８側に位置する連結リブ６ａ２の高さを、他の連結リブ６ａの高さより低く形成することにより、隅桁・中間桁下部連結桟部６のフォーク挿通通路９の入口側及び開口部８側に、傾斜部を形成することもできる。このように、隅桁・中間桁下部連結桟部６のフォーク挿通通路９の入口側及び開口部８側に、傾斜部を形成することにより、ハンドフォークリフトの車輪の隅桁・中間桁下部連結桟部６への乗り越えが容易になる。
【００１３】
隅桁・中間桁下部連結桟部６を構成する所定の連結リブ６ａの垂直部６ａ’の長さ方向中央領域には、所定の長さに亘たって、肉厚部６ａ３が形成されている。本実施例には、フォーク挿通通路９の入口側に位置する連結リブ６ａ１と下部デッキ２の開口部８側に位置する連結リブ６ａ２との間に配置されている全ての連結リブ６ａの長さ方向中央領域に、肉厚部６ａ３が形成されている例が示されているが、フォーク挿通通路９の入口側に位置する連結リブ６ａ１と下部デッキ２の開口部８側に位置する連結リブ６ａ２との間に配置されている連結リブ６ａの全ての連結リブ６ａの長手方向中央領域に、肉厚部６ａ３する必要は必ずしもない。また、フォーク挿通通路９の入口側に位置する連結リブ６ａ１と下部デッキ２の開口部８側に位置する連結リブ６ａ２にも、その長手方向中央領域に、肉厚部を形成することもできる。
【００１４】
本実施例においては、隅桁・中間桁下部連結桟部６を構成する連結リブ６ａの中央は、所定の交差リブ６ｂにより連結されており、この中央の交差リブ６ｂ（以下、単に、中央交差リブと称し、符号６ｂ１を付す。）と連結リブ６ａとにより形成される十字路に位置する連結リブ６ａに、中央交差リブ６ｂ１を挟んで対称になるように、肉厚部６ａ３が形成されている。
【００１５】
上述したように、隅桁・中間桁下部連結桟部６を構成する連結リブ６ａの垂直部６ａ’の長さ方向中央領域に、肉厚部６ａ３を形成することにより、隅桁・中間桁下部連結桟部６の強度や剛性を高めることができ、従って、隅桁・中間桁下部連結桟部６の湾曲変形を防止することができるとともに、ひいては、合成樹脂製パレットの強度や剛性を向上することができる。
【００１６】
また、隅桁・中間桁下部連結桟部６を構成する連結リブ６ａの垂直部６ａ’の長さ方向中央領域に、肉厚部６ａ３を形成することにより、隅桁・中間桁下部連結桟部６の強度や剛性を高めることができるので、肉厚部６ａ３以外の連結リブ６ａの厚さや交差リブ６ｂの厚さを薄くすることができ、従って、合成樹脂製パレットの重量の増加を抑えることができる。
【００１７】
中間桁・中央桁下部連結桟部７も、上述した隅桁・中間桁下部連結桟部６と同様に、互いに対向する中間桁４の壁面４ａと中央桁５の側面５ａとを連結する複数の連結リブ７ａと、該連結リブ７ａと直交するとともに各連結リブ７ａを連結する交差リブ７ｂとにより形成することができる。この場合には、連結リブ７ａの垂直部の長さ方向中央領域に、上述した隅桁・中間桁下部連結桟部６を形成する連結リブ６ａの垂直部６ａ’の長さ方向中央領域に形成された肉厚部６ａ３と同様の肉厚部を形成することができる。
【００１８】
上述したように、中間桁・中央桁下部連結桟部７を形成する連結リブ７ａの垂直部の長さ方向中央領域に、肉厚部を形成することにより、中間桁・中央桁下部連結桟部７の強度や剛性を高めることができ、従って、中間桁・中央桁下部連結桟部７の湾曲変形を防止することができるとともに、ひいては、合成樹脂製パレットの強度や剛性を向上することができる。
【００１９】
また、中間桁・中央桁下部連結桟部７を形成する連結リブ７ａの垂直部の長さ方向中央領域に、肉厚部を形成することにより、中間桁・中央桁下部連結桟部７の強度や剛性を高めることができるので、肉厚部以外の連結リブ７ａの厚さや交差リブ７ｂの厚さを薄くすることができ、従って、合成樹脂製パレットの重量の増加を抑えることができる。
【図面の簡単な説明】
【００２０】
【図１】図１は、本発明の合成樹脂製パレットの斜視図である。
【図２】図２は、本発明の合成樹脂製パレットの裏面斜視図である。
【図３】図３は、本発明の合成樹脂製パレットの部分拡大裏面斜視図である。
【図４】図４は、本発明の合成樹脂製パレットの部分拡大裏面図である。
【符号の説明】
【００２１】
１・・・・・・・・・・・・上部デッキ
２・・・・・・・・・・・・下部デッキ
３・・・・・・・・・・・・・隅桁
４・・・・・・・・・・・・・中間桁
５・・・・・・・・・・・・・中央桁
６・・・・・・・・・・・・・隅桁・中間桁下部連結桟部
６ａ・・・・・・・・・・・・連結リブ
６ｂ・・・・・・・・・・・・交差リブ
６ａ３・・・・・・・・・・・肉厚部
７・・・・・・・・・・・・・中間桁・中央桁下部連結桟部
【図１】
2005206200.tif 000003
【図２】
2005206200.tif 000004
【図３】
2005206200.tif 000005
【図４】
2005206200.tif 000006